(57)【要約】【課題】既設の舗装層の上面に新たな舗装層を形成するオーバーレイ工法は舗装の修復手段として有効であるが、マンホール枠が設置されている舗装層にこのオーバーレイ工法を実施するにはマンホール枠を一旦撤去することが必要である。従来の方法では、このマンホール枠の撤去作業は手間がかかり、専用の特殊な工具を必要とするなど、オーバーレイ工法実施に当ってのネックとなっていた。【解決手段】マンホール枠が埋込まれている既設舗装層の上に新たに舗装層を形成せしめる舗装オーバーレイ工法を実施する際に、内縁がマンホール枠の外縁に接する幅広円筒溝をマンホール基壁上面に達するまで垂直に掘り進め、マンホール枠外縁に形成されたこの幅広円筒溝を利用して引上げ用の工具を外側からマンホール枠に係止せしめ、マンホール枠を引上げる様にした。【選択図】　図６
2004027688.tif 000002
【特許請求の範囲】
【請求項１】
マンホール枠が埋込まれている既設舗装層の上に新たに舗装層を形成せしめる舗装オーバーレイ工法を実施する際に、内縁がマンホール枠の外縁に接する幅広円筒溝をマンホール基壁上面に達するまで垂直に掘り進め、マンホール枠外縁に形成されたこの幅広円筒溝を利用して引上げ用の工具を外側からマンホール枠に係止せしめ、マンホール枠を引上げる様にしたことを特徴とする舗装オーバーレイ工法実施の際のマンホール枠撤去方法。
【発明の詳細な説明】
【０００１】
【産業上の利用分野】
この発明は舗装オーバーレイ工法実施の際のマンホール枠撤去方法、詳しくは、舗装オーバーレイ工法実施の際に少ない工程数で特殊な専用工具などを用いずともマンホール枠を簡単に撤去できる方法に関するものである。
【０００２】
【従来の技術】
道路などにおける舗装は、車両通行の繰り返しや経年変化、温度変化などによって摩耗や破損、劣化することは避けられず、常に修復を必要としており、舗装修復の一手段として、既設の舗装表面に新たに舗装層を積み増す、所謂オーバーレイ工法が存在している。このオーバーレイ工法は、短い工事期間で工事を終了させることができるメリットを有するので、供用中の道路舗装の修復などに広く用いられている。
【０００３】
【発明が解決しようとする課題】
このオーバーレイ工法には、既設の舗装表面を一旦一定の厚さだけ切削した後に、その上に新たな舗装層を形成する切削オーバーレイ工法や、既設の舗装表面を切削せずに直接その上に新しい舗装層を形成する非切削タイプのオーバーレイ工法などが存在している。
【０００４】
前者の切削オーバーレイ工法においては、既設舗装内にマンホール枠が設置されていると、このマンホール枠が切削作業の障害となり、作業機械とマンホール枠上部とが干渉してしまい、これらを損傷させるおそれがある。この干渉を避ける為には、マンホール枠設置箇所を迂回しながら、オーバーレイ工法を実施しなければならず、これではオーバーレイ工法のすぐれた作業性を著しく減殺させてしまうことになるので、好ましくないことは言うまでもない。
【０００５】
この為、既設舗装表面の切削に先立ち、マンホール枠を一時撤去し、マンホール枠がない状態で舗装面上を一気に切削し、新舗装層の形成が終った段階で、マンホール枠を元の位置に再設置する方法が、特開平５−１７９６０７号などにおいて提案されている。この方法においては、図１に示す様に、マンホール枠１の周囲をマンホール基壁２の上面に達するまで円筒状に切り出した後、図２に示す様に、マンホール枠１の内径側から引上げ用特殊工具３をマンホール枠１内に挿入し、その下縁に噛ませ、周囲に付着している円筒状の舗装材４ごとウインチやクレーンなどにより一気に引上げて既設舗装層５からマンホール枠１を分離していた。なお、図１中１０は切り出し線を、５は既設舗装層をそれぞれ表わす。
【０００６】
しかしながら、この方法においては、マンホール枠１の内径側からしか引上げ用の工具３をマンホール枠１に挿入固定することが出来ず、しかも特殊な専用工具を必要としていた。又、マンホール枠１はその周囲に舗装材４が大量に付着した状態で引上げられるので、余分な舗装材４の重量がかかり、引上げには大きな力を必要とし、引上げに用いるウインチやクレーンも強力なものを用いなければならなかった。更に、引上げ後に、マンホール枠１の周囲に円筒状に付着している舗装材４を分離する作業も別途必要であった。
【０００７】
一方、特開平５−１７９６０６号などに提案されている既設舗装層５の切削を伴わない非切削タイプのオーバーレイ工法においては、図３に示す様に、設置済みのマンホール枠１の上にも一旦新舗装層９を形成してしまい、新舗装層９形成によって埋設されてしまったマンホール枠１を図４に示す様に、掘り起して一旦撤去し、掘り出した跡に高さ調整しながらマンホール枠１を再設置することが行われる。この際のマンホール枠１の撤去作業は、前述の切削オーバーレイ工法の場合と同じ手法で行われるので、この場合にも、切削オーバーレイ工法と同じ問題を内包していた。
【０００８】
この様に、従来提案されていたオーバーレイ工法においては切削、非切削を問わず、マンホール枠撤去の際には、マンホール枠引上げの為に特殊な専用工具を必要とすると共に、引き上げには大きな力を要し、工程数も多く、必ずしも満足できるものではなかった。本発明はオーバーレイ工法実施の際のマンホール枠撤去に関する上記問題点を解決することを目的とし、従来のものより少ない工程数で、しかも専用の工具を用いずにマンホール枠を円滑に撤去できる便利な方法を提供せんとするものである。
【０００９】
【課題を解決するための手段】
マンホール枠が埋込まれている既設舗装層の上に新たに舗装層を形成せしめる舗装オーバーレイ工法を実施する際に、内縁がマンホール枠の外縁に接する幅広円筒溝をマンホール基壁上面に達するまで垂直に掘り進め、マンホール枠外縁に形成されたこの幅広円筒溝を利用して引上げ用の工具を外側からマンホール枠に係止せしめ、マンホール枠を引上げる様にすることにより、上記課題を解決せんとするものである。
【００１０】
【実施の形態】
以下、図面を参照しながら、本発明の一実施形態について説明する。
【００１１】
図５はマンホール枠１が既設舗装層５内に設置されている撤去作業前の状態を示すものであり、マンホール枠１はマンホール基壁２上面に載置されている。この状態のマンホール枠１を既設舗装層５から撤去するのであるが、まず始めに、マンホール枠１の外縁６に内径側が接する肉厚の大きい幅広円筒溝７を既設舗装層５の上面から掘り進める。この幅広円筒溝７は、幅が広いことが肝要であり、後述する引上げ用の工具８を余裕を持って挿入できる程度の寸法のものである。この幅広円筒溝７の掘削は被加工部を２次元的、つまり面的に削り取りながら掘り進める臼状の回転刃工具などを用いれば何ら問題なく可能である。削り取られた舗装材４は順次外部に排出する。図６に示す様に、マンホール基壁２の上面までこの幅広円筒溝７を掘り進めたら、掘削作業を終了する。この掘削作業を終了した段階では図６に示す様に、マンホール枠１の外周の一部に少量の舗装材４が付着しているが、この舗装材４は適当な道具を用いて容易にそぎ落すことができる。マンホール枠１の外周が幅広円筒溝７内に露出したなら、図７に示す様に、この幅広円筒溝７を利用してマンホール枠１の外縁下面などにフック等の引上げ用の工具８を噛ませ、ウインチやクレーンによりこの工具８を上方に引上げる。すると、マンホール枠１も上方に持ち上げられ、マンホール枠１は既設舗装層５から撤去される。
【００１２】
この様にして、マンホール枠１を撤去したなら、切削オーバーレイ工法においては既設舗装層５表面の切削作業、切削を使わないオーバーレイ工法においては、マンホール枠再設置作業などをそれぞれの手順に従って適宜実施する。
【００１３】
【発明の効果】
この発明は上記の通りの手順によりマンホール枠の撤去を行うものであり、既設舗装層中のマンホール枠の外縁に幅広円筒溝を掘削するので、この幅広円筒溝を利用して外側からマンホール枠引上げ用の工具を簡単確実にマンホール枠に噛ませることができ、しかもマンホール枠周囲には余分の舗装材が付着していないのでマンホール枠の引上げ作業が極めて容易で、専用の特殊工具なども必要とせず、従来のものに比べて小型のウインチやクレーンでも簡単に引上げることが可能である。
【００１４】
更に、引上げたマンホール枠の周囲には余分な舗装材が付着していないので、マンホール枠から舗装材を剥ぎ取る作業も必要ではなく、その分だけオーバーレイ工法全体の工程数を減らすことができ、極めて実用的価値の高いものである。
【図面の簡単な説明】
【図１】従来の切削オーバーレイ工法におけるマンホール枠の撤去作業の第一の工程を説明する為のマンホール枠１と既設舗装層５の断面図。
【図２】同じく、第二の工程を説明する為のマンホール枠１と既設舗装層５の断面図。
【図３】従来の切削を伴わないオーバーレイ工法におけるマンホール枠の撤去作業の第一の工程を説明する為のマンホール枠１と既設舗装層５の断面図。
【図４】同じく第二の工程を説明する為のマンホール枠１と既設舗装層５の断面図。
【図５】この発明に係るマンホール枠撤去方法を実施しようとするマンホール枠１と既設舗装層５の一例の断面図。
【図６】この発明に係るマンホール枠撤去方法の第一の工程を説明する為のマンホール枠１と既設舗装層５の断面図。
【図７】同じく第二の工程を説明する為のマンホール枠１と既設舗装層５の断面図。
【符号の説明】
１　　　マンホール枠
２　　　マンホール基壁
３　　　引上げ用工具
４　　　舗装材
５　　　既設舗装層
６　　　外縁
７　　　幅広円筒溝
８　　　工具
９　　　新舗装層
１０　　　切出し線
【図１】
2004027688.tif 000003
【図２】
2004027688.tif 000004
【図３】
2004027688.tif 000005
【図４】
2004027688.tif 000006
【図５】
2004027688.tif 000007
【図６】
2004027688.tif 000008
【図７】
2004027688.tif 000009